【手続補正書】
【提出日】平成17年8月25日(2005.8.25)
【手続補正１】
【補正対象書類名】明細書
【補正対象項目名】発明の名称
【補正方法】変更
【補正の内容】
【発明の名称】ファクシミリ通信管理装置、通信装置および通信管理システム。
【手続補正２】
【補正対象書類名】明細書
【補正対象項目名】特許請求の範囲
【補正方法】変更
【補正の内容】
【特許請求の範囲】
【請求項１】
クライアント装置と、このクライアント装置から送信依頼を受け、送信すべきデータを相手先に送信する通信装置とを接続するネットワーク上に配置されるファクシミリ通信管理装置において、
前記通信装置から通信管理情報を更新するためのデータを受信する管理情報受信手段と、
前記受信した通信管理情報を、その通信装置を利用したユーザー毎に格納管理する管理テーブルと、
前記通信装置から受信した前記通信管理情報に応じて、前記管理テーブルを更新する更新手段と、
前記クライアント装置からユーザー対応の通信管理情報を閲覧する要求を受信する要求受信手段と、
前記要求に応じて、この要求を送信したユーザーに関する通信管理情報を、前記管理テーブルから抽出して、前記クライアント装置に提示する提示手段とを有することを特徴とするファクシミリ通信管理装置。
【請求項２】
前記通信管理情報には、前記通信装置が送信した前記データについての送信結果を示す情報が含まれていることを特徴とする請求項１記載のファクシミリ通信管理装置。
【請求項３】
前記送信結果を示す情報が受信確認のためのＤＳＮ（配信状態通知）又はＭＤＮ（メッセージ処理通知）であることを特徴とする請求項１記載のファクシミリ通信管理装置。
【請求項４】
前記通信装置は、前記管理テーブルに格納されている通信結果を参照するためのリンク情報を前記クライアント装置に送信することを特徴とする請求項１から３のいずれかに記載のファクシミリ通信管理装置。
【請求項５】
前記送信依頼を行った前記クライアント装置に対して、前記管理テーブルに管理されているユーザー毎の通信管理情報を参照するためのリンク情報を通知するリンク通知手段をさらに有すことを特徴とする請求項１ないし４のいずれかに記載のファクシミリ通信管理装置。
【請求項６】
前記リンク通知手段は、特定の前記送信依頼を識別するための識別情報を、前記リンク情報に付加して通知することを特徴とする請求項５に記載のファクシミリ通信管理装置。
【請求項７】
前記リンク情報が、ＵＲＬ（Ｕｎｉｆｏｒｍ  Ｒｅｓｏｕｒｃｅ  Ｌｏｃａｔｏｒ）であることを特徴とする請求項５又は６に記載のファクシミリ通信管理装置。
【請求項８】
前記管理テーブルにおいて管理される前記通信管理情報は、中継転送依頼の場合の中継送信情報を含むことを特徴とする請求項１ないし６の何れかに記載のファクシミリ通信管理装置。
【請求項９】
クライアント装置からネットワークを介して送信依頼を受け付けるインタフェース手段と、前記送信依頼に応じて送信すべきデータを相手先に送信する送信手段を有する通信装置において、
前記送信すべきデータを相手先に送信した際に、前記ネットワークに接続されたファクシミリ通信管理装置内の管理テーブルに格納された通信管理情報を更新依頼する更新依頼手段を有することを特徴とする通信装置。
【請求項１０】
前記ファクシミリ通信管理装置は、
前記データ送信に関する通信管理情報を、その通信装置を利用したユーザー毎に更新・管理すると共に、
前記ネットワークを介して、前記クライアント装置から、ユーザー対応の通信管理情報を閲覧する要求を受信する要求受信手段と、
前記要求に応じて、この要求を送信したユーザーに関する通信管理情報を、前記管理テーブルから抽出して、前記クライアント装置に提示する提示手段とを有することを特徴とする請求項９に記載の通信装置。
【請求項１１】
クライアント装置からネットワークを介して送信依頼を受け付けるインタフェース手段と、前記送信依頼に応じて送信すべきデータを相手先に送信する送信手段を有する通信装置において、
前記データ送信に関する通信管理情報を、その通信装置を利用したユーザー毎に管理する管理テーブルと、
前記ファクシミリ通信管理装置内の管理テーブルに格納された通信管理情報を更新する更新手段と、
前記ネットワークを介して、前記クライアント装置から、ユーザー対応の通信管理情報を閲覧する要求を受信する要求受信手段と、
前記要求に応じて、この要求を送信したユーザーに関する通信管理情報を、前記管理テーブルから抽出して、前記クライアント装置に提示する提示手段とを有することを特徴とする通信装置。
【請求項１２】
少なくともクラアント装置、通信装置、およびファクシミリ通信管理装置がネットワークに接続される通信管理システムにおいて、
前記クライアント装置は、送信依頼を前記ネットワークに送出する手段を有し、
前記通信装置は、前記送信依頼を受け、送信すべきデータを相手先に送信する送信手段と、前記ネットワークに対して前記送信すべきデータを相手先に送信した際に送信管理情報を更新依頼する更新依頼を送出する更新依頼手段とを有し、
前記ファクシミリ通信管理装置は、前記ネットワークを介して前記通信装置から通信管理情報を更新するためのデータを受信する管理情報受信手段と、前記受信した通信管理情報をその通信装置を利用したユーザー毎に管理する管理テーブルと、前記通信装置から受信する前記通信管理情報に応じて前記管理テーブルを更新する更新手段と、前記ネットワークを介して前記クライアント装置からユーザー対応の通信管理情報を閲覧する要求を受信する要求受信手段と、前記要求に応じてこの要求を送信したユーザーに関する通信管理情報を前記管理テーブルから抽出して、前記クライアント装置に提示する提示手段とを有することを特徴とする通信管理システム。
【請求項１３】
少なくともクラアント装置、第１通信装置、第２通信装置およびファクシミリ通信管理装置が第１ネットワークに接続されたシステムが第２ネットワークに複数接続された通信管理システムにおいて、
前記クライアント装置は、送信依頼を前記第１通信装置に送信する送信手段を有し、
前記第１通信装置は、前記送信依頼に応じて前記送信すべきデータを前記第２通信装置に送信する送信手段と、前記ファクシミリ通信管理装置に送信管理情報を更新依頼情報を送出する更新依頼手段とを有し、
前記第２通信装置は、送信すべきデータを前記第２ネットワークを介して相手先の前記第１通信装置に送信する送信手段を有し、
前記ファクシミリ通信管理装置は、前記第２ネットワークを介して相手先の第１通信装置から通信管理情報を更新するためのデータを受信する管理情報受信手段と、前記受信した通信管理情報をその通信装置を利用したユーザー毎に管理する管理テーブルと、前記受信した前記通信管理情報に応じて前記管理テーブルを更新する更新手段と、前記第１ネットワークを介して前記クライアント装置からユーザー対応の通信管理情報を閲覧する要求を受信する要求受信手段と、前記要求に応じてこの要求を送信したユーザーに関する通信管理情報を前記管理テーブルから抽出して、前記クライアント装置に提示する提示手段とを有することを特徴とする通信管理システム。
【請求項１４】
前記相手先の第１通信装置は、前記第２通信装置から受信したデータをさらに別の第１通信装置に中継転送すると共に、その中継転送結果を前記ファクシミリ通信管理装置に送信することを特徴とする請求項１３記載の通信管理システム。
【手続補正３】
【補正対象書類名】明細書
【補正対象項目名】０００１
【補正方法】変更
【補正の内容】
【０００１】
【発明の属する技術分野】
本発明は、専用線を介して又はダイアルアップ機能によりインターネットプロバイダに接続されたローカルエリアネットワークに接続され、少なくとも前記ローカルエリアネットワーク上及びインターネット上での電子メールのやり取りを行なう機能を備えたインターネットファクシミリ装置を用いるファクシミリ通信管理装置、通信装置および通信管理システムに関する。
【手続補正４】
【補正対象書類名】明細書
【補正対象項目名】００１０
【補正方法】変更
【補正の内容】
【００１０】
そこで、本発明は、電子メール型のインターネットファクシミリ装置を利用してパーソナルコンピュータ等の通信端末でファクス送信依頼した場合であっても、特殊なソフトウェアを用いることなく、通信端末から簡単に送信結果等の通信管理情報を参照することができるファクシミリ通信管理装置、通信装置および通信管理システムを提供することを目的とする。
【手続補正５】
【補正対象書類名】明細書
【補正対象項目名】００１１
【補正方法】変更
【補正の内容】
【００１１】
また、本発明は、上記目的を実現する上で、ユーザが知りたい特定の或るファクシミリ通信のみの通信管理を参照することができるファクシミリ通信管理装置、通信装置および通信管理システムを提供する。
【手続補正６】
【補正対象書類名】明細書
【補正対象項目名】００１２
【補正方法】変更
【補正の内容】
【００１２】
また、本発明は、送信側において受信側ファクシミリ装置に対して通信管理情報を登録すべき管理ファイルへのリンク情報を通知することにより、情報管理を便ならしめることができるファクシミリ通信管理装置、通信装置および通信管理システムを提供する。
【手続補正７】
【補正対象書類名】明細書
【補正対象項目名】００１３
【補正方法】変更
【補正の内容】
【００１３】
さらに、本発明は、中継送信時の情報管理を便ならしめることができるファクシミリ通信管理装置、通信装置および通信管理システムを提供する。
【手続補正８】
【補正対象書類名】明細書
【補正対象項目名】００１４
【補正方法】変更
【補正の内容】
【００１４】
【課題を解決するための手段】
請求項１に係る発明は、クライアント装置と、このクライアント装置から送信依頼を受け、送信すべきデータを相手先に送信する通信装置とを接続するネットワーク上に配置されるファクシミリ通信管理装置において、前記通信装置から通信管理情報を更新するためのデータを受信する管理情報受信手段と、前記受信した通信管理情報を、その通信装置を利用したユーザー毎に格納管理する管理テーブルと、前記通信装置から受信した前記通信管理情報に応じて、前記管理テーブルを更新する更新手段と、前記クライアント装置からユーザー対応の通信管理情報を閲覧する要求を受信する要求受信手段と、前記要求に応じて、この要求を送信したユーザーに関する通信管理情報を、前記管理テーブルから抽出して、前記クライアント装置に提示する提示手段とを有することを特徴とする。
【手続補正９】
【補正対象書類名】明細書
【補正対象項目名】００１５
【補正方法】変更
【補正の内容】
【００１５】
請求項２に係る発明は、請求項１に係る発明において、前記通信管理情報には、前記通信装置が送信した前記データについての送信結果を示す情報が含まれていることを特徴とする。
【手続補正１０】
【補正対象書類名】明細書
【補正対象項目名】００１６
【補正方法】変更
【補正の内容】
【００１６】
請求項３に係る発明は、請求項１に係る発明において、前記送信結果を示す情報が受信確認のためのＤＳＮ（配信状態通知）又はＭＤＮ（メッセージ処理通知）であることを特徴とする。
【手続補正１１】
【補正対象書類名】明細書
【補正対象項目名】００１７
【補正方法】変更
【補正の内容】
【００１７】
請求項４に係る発明は、請求項１から３のいずれかに係る発明において、前記通信装置は、前記管理テーブルに格納されている通信結果を参照するためのリンク情報を前記クライアント装置に送信することを特徴とする。
【手続補正１２】
【補正対象書類名】明細書
【補正対象項目名】００１８
【補正方法】変更
【補正の内容】
【００１８】
請求項５に係る発明は、請求項１ないし４のいずれかに係る発明において、前記送信依頼を行った前記クライアント装置に対して、前記管理テーブルに管理されているユーザー毎の通信管理情報を参照するためのリンク情報を通知するリンク通知手段をさらに有すことを特徴とする。
【手続補正１３】
【補正対象書類名】明細書
【補正対象項目名】００１９
【補正方法】変更
【補正の内容】
【００１９】
請求項６に係る発明は、請求項５に係る発明において、前記リンク通知手段は、特定の前記送信依頼を識別するための識別情報を、前記リンク情報に付加して通知することを特徴とする。
【手続補正１４】
【補正対象書類名】明細書
【補正対象項目名】００２０
【補正方法】変更
【補正の内容】
【００２０】
請求項７に係る発明は、請求項５又は６に係る発明において、前記リンク情報が、ＵＲＬ（Ｕｎｉｆｏｒｍ  Ｒｅｓｏｕｒｃｅ  Ｌｏｃａｔｏｒ）であることを特徴とする。
【手続補正１５】
【補正対象書類名】明細書
【補正対象項目名】００２１
【補正方法】変更
【補正の内容】
【００２１】
請求項８に係る発明は、請求項１ないし６のいずれかに係る発明において、前記管理テーブルにおいて管理される前記通信管理情報は、中継転送依頼の場合の中継送信情報を含むことを特徴とする。
【手続補正１６】
【補正対象書類名】明細書
【補正対象項目名】００２２
【補正方法】変更
【補正の内容】
【００２２】
請求項９に係る発明は、クライアント装置からネットワークを介して送信依頼を受け付けるインタフェース手段と、前記送信依頼に応じて送信すべきデータを相手先に送信する送信手段を有する通信装置において、前記送信すべきデータを相手先に送信した際に、前記ネットワークに接続されたファクシミリ通信管理装置内の管理テーブルに格納された通信管理情報を更新依頼する更新依頼手段を有することを特徴とする。
【手続補正１７】
【補正対象書類名】明細書
【補正対象項目名】００２３
【補正方法】変更
【補正の内容】
【００２３】
請求項１０に係る発明は、請求項９に係る発明において、前記ファクシミリ通信管理装置は、
前記データ送信に関する通信管理情報を、その通信装置を利用したユーザー毎に更新・管理すると共に、前記ネットワークを介して、前記クライアント装置から、ユーザー対応の通信管理情報を閲覧する要求を受信する要求受信手段と、前記要求に応じて、この要求を送信したユーザーに関する通信管理情報を、前記管理テーブルから抽出して、前記クライアント装置に提示する提示手段とを有することを特徴とする。
【手続補正１８】
【補正対象書類名】明細書
【補正対象項目名】００２４
【補正方法】変更
【補正の内容】
【００２４】
請求項１１に係る発明は、クライアント装置からネットワークを介して送信依頼を受け付けるインタフェース手段と、前記送信依頼に応じて送信すべきデータを相手先に送信する送信手段を有する通信装置において、前記データ送信に関する通信管理情報を、その通信装置を利用したユーザー毎に管理する管理テーブルと、前記ファクシミリ通信管理装置内の管理テーブルに格納された通信管理情報を更新する更新手段と、前記ネットワークを介して、前記クライアント装置から、ユーザー対応の通信管理情報を閲覧する要求を受信する要求受信手段と、前記要求に応じて、この要求を送信したユーザーに関する通信管理情報を、前記管理テーブルから抽出して、前記クライアント装置に提示する提示手段とを有することを特徴とする。
【手続補正１９】
【補正対象書類名】明細書
【補正対象項目名】００２５
【補正方法】変更
【補正の内容】
【００２５】
請求項１２に係る発明は、少なくともクラアント装置、通信装置、およびファクシミリ通信管理装置がネットワークに接続される通信管理システムにおいて、前記クライアント装置は、送信依頼を前記ネットワークに送出する手段を有し、前記通信装置は、前記送信依頼を受け、送信すべきデータを相手先に送信する送信手段と、前記ネットワークに対して前記送信すべきデータを相手先に送信した際に送信管理情報を更新依頼する更新依頼を送出する更新依頼手段とを有し、前記ファクシミリ通信管理装置は、前記ネットワークを介して前記通信装置から通信管理情報を更新するためのデータを受信する管理情報受信手段と、前記受信した通信管理情報をその通信装置を利用したユーザー毎に管理する管理テーブルと、前記通信装置から受信する前記通信管理情報に応じて前記管理テーブルを更新する更新手段と、前記ネットワークを介して前記クライアント装置からユーザー対応の通信管理情報を閲覧する要求を受信する要求受信手段と、前記要求に応じてこの要求を送信したユーザーに関する通信管理情報を前記管理テーブルから抽出して、前記クライアント装置に提示する提示手段とを有することを特徴とする。
【手続補正２０】
【補正対象書類名】明細書
【補正対象項目名】００２６
【補正方法】変更
【補正の内容】
【００２６】
請求項１３に係る発明は、少なくともクラアント装置、第１通信装置、第２通信装置およびファクシミリ通信管理装置が第１ネットワークに接続されたシステムが第２ネットワークに複数接続された通信管理システムにおいて、前記クライアント装置は、送信依頼を前記第１通信装置に送信する送信手段を有し、前記第１通信装置は、前記送信依頼に応じて前記送信すべきデータを前記第２通信装置に送信する送信手段と、前記ファクシミリ通信管理装置に送信管理情報を更新依頼情報を送出する更新依頼手段とを有し、前記第２通信装置は、送信すべきデータを前記第２ネットワークを介して相手先の前記第１通信装置に送信する送信手段を有し、前記ファクシミリ通信管理装置は、前記第２ネットワークを介して相手先の第１通信装置から通信管理情報を更新するためのデータを受信する管理情報受信手段と、前記受信した通信管理情報をその通信装置を利用したユーザー毎に管理する管理テーブルと、前記受信した前記通信管理情報に応じて前記管理テーブルを更新する更新手段と、前記第１ネットワークを介して前記クライアント装置からユーザー対応の通信管理情報を閲覧する要求を受信する要求受信手段と、前記要求に応じてこの要求を送信したユーザーに関する通信管理情報を前記管理テーブルから抽出して、前記クライアント装置に提示する提示手段とを有することを特徴とする。
【手続補正２１】
【補正対象書類名】明細書
【補正対象項目名】００２７
【補正方法】変更
【補正の内容】
【００２７】
請求項１４に係る発明は、請求項１３に係る発明において、前記相手先の第１通信装置は、前記第２通信装置から受信したデータをさらに別の第１通信装置に中継転送すると共に、その中継転送結果を前記ファクシミリ通信管理装置に送信することを特徴とする。
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】
【手続補正６３】
【補正対象書類名】明細書
【補正対象項目名】００６９
【補正方法】削除
【補正の内容】
【手続補正６４】
【補正対象書類名】明細書
【補正対象項目名】００７０
【補正方法】削除
【補正の内容】
【手続補正６５】
【補正対象書類名】明細書
【補正対象項目名】０１２２
【補正方法】変更
【補正の内容】
【０１２２】
【発明の効果】
以上、説明したように本発明によれば、クライアント装置からデータ通信を依頼した場合であっても、特殊なソフトウェアを用いることなく、クライアント装置から簡単に送信結果等の通信管理情報を参照することができる。また、その場合、ユーザが知りたい特定の或る通信のみの通信管理を参照することができる。また、リンク情報で通知することにより、情報管理が便利になる、さらに、中継送信時の情報管理も簡単に行える、という効果を奏する。
【手続補正６６】
【補正対象書類名】明細書
【補正対象項目名】０１２３
【補正方法】削除
【補正の内容】
【手続補正６７】
【補正対象書類名】明細書
【補正対象項目名】０１２４
【補正方法】削除
【補正の内容】
【手続補正６８】
【補正対象書類名】明細書
【補正対象項目名】０１２５
【補正方法】削除
【補正の内容】
【手続補正６９】
【補正対象書類名】明細書
【補正対象項目名】０１２６
【補正方法】削除
【補正の内容】
【手続補正７０】
【補正対象書類名】明細書
【補正対象項目名】０１２７
【補正方法】削除
【補正の内容】
【手続補正７１】
【補正対象書類名】明細書
【補正対象項目名】０１２８
【補正方法】削除
【補正の内容】
【手続補正７２】
【補正対象書類名】明細書
【補正対象項目名】０１２９
【補正方法】削除
【補正の内容】
【手続補正７３】
【補正対象書類名】明細書
【補正対象項目名】０１３０
【補正方法】削除
【補正の内容】
【手続補正７４】
【補正対象書類名】明細書
【補正対象項目名】０１３１
【補正方法】削除
【補正の内容】
【手続補正７５】
【補正対象書類名】明細書
【補正対象項目名】０１３２
【補正方法】削除
【補正の内容】
【手続補正７６】
【補正対象書類名】明細書
【補正対象項目名】０１３３
【補正方法】削除
【補正の内容】
【手続補正７７】
【補正対象書類名】明細書
【補正対象項目名】０１３４
【補正方法】削除
【補正の内容】
【手続補正７８】
【補正対象書類名】明細書
【補正対象項目名】０１３５
【補正方法】削除
【補正の内容】
【手続補正７９】
【補正対象書類名】明細書
【補正対象項目名】０１３６
【補正方法】削除
【補正の内容】
【手続補正８０】
【補正対象書類名】明細書
【補正対象項目名】０１３７
【補正方法】削除
【補正の内容】
【手続補正８１】
【補正対象書類名】明細書
【補正対象項目名】０１３８
【補正方法】削除
【補正の内容】
【手続補正８２】
【補正対象書類名】明細書
【補正対象項目名】０１３９
【補正方法】削除
【補正の内容】
【手続補正８３】
【補正対象書類名】明細書
【補正対象項目名】０１４１
【補正方法】削除
【補正の内容】
【手続補正８４】
【補正対象書類名】明細書
【補正対象項目名】０１４２
【補正方法】削除
【補正の内容】
【手続補正８５】
【補正対象書類名】明細書
【補正対象項目名】０１４３
【補正方法】削除
【補正の内容】
【手続補正８６】
【補正対象書類名】明細書
【補正対象項目名】０１４４
【補正方法】削除
【補正の内容】
【手続補正８７】
【補正対象書類名】明細書
【補正対象項目名】０１４５
【補正方法】削除
【補正の内容】
【手続補正８８】
【補正対象書類名】明細書
【補正対象項目名】０１４６
【補正方法】削除
【補正の内容】
【手続補正８９】
【補正対象書類名】明細書
【補正対象項目名】０１４７
【補正方法】削除
【補正の内容】
【手続補正９０】
【補正対象書類名】明細書
【補正対象項目名】０１４８
【補正方法】削除
【補正の内容】
【手続補正９１】
【補正対象書類名】明細書
【補正対象項目名】０１４９
【補正方法】削除
【補正の内容】